(57)【特許請求の範囲】
【請求項１】
下記の（１）〜（７）の工程からなることを特徴とする地中アンカ埋設方法。
（１）地中アンカの所定の埋設場所にドリルで下穴をあける工程。
（２）前記下穴をあける工程において、その下穴が所定の速さを越えて、又は所定の力以下であけられたときに、抵抗板式地中アンカを埋設する抵抗板式地中アンカ埋設工程。
（３）前記下穴をあける工程において、その下穴が所定の速さ以下、又は所定の力を越えてあけられたときに、先端側に所定の基準となる直径を有する螺旋状掘削刃を備えた第１の螺旋式地中アンカを埋設する第１の螺旋式地中アンカ埋設工程。
（４）前記第１の螺旋式地中アンカが所定の力で所定の位置に埋設されたときに、その地中アンカに対して所定の引抜力を与える第１の引抜工程。
（５）前記第１の引抜工程において、前記第１の螺旋式地中アンカが引抜かれないときに、その第１の螺旋式地中アンカを地中アンカとする工程。
（６）前記第１の引抜工程において、前記第１の螺旋式地中アンカが引抜かれたときに、その第１の螺旋式地中アンカの螺旋状掘削刃よりも大径の螺旋状掘削刃を備えた第２の螺旋式地中アンカを埋設する第２の螺旋式地中アンカ埋設工程。
（７）前記第１の螺旋式地中アンカが所定の力で埋設されたときに、所定の位置に達することができないとき、その第１の螺旋式地中アンカに代えて、その第１の螺旋式地中アンカの螺旋状掘削刃よりも小径の螺旋状掘削刃を備えた第３の螺旋式地中アンカを埋設する第３の螺旋式地中アンカ埋設工程。
【発明の詳細な説明】
【０００１】
【発明の属する技術分野】
本発明は、電柱の支線あるいは建築構造物等の所定の構造物を地中において支持する地中アンカの支持力を確実に得ることができる埋設方法に関する。
【０００２】
【従来の技術】
従来、電柱等の構造物を地中において支持する地中アンカ（以下、「アンカ」という。）としては、後述する図１（ｂ）に示されるような抵抗板を有する抵抗板式アンカ、あるいは図１（ｃ）〜（ｅ）に示されるような先端側（地中に埋設される側）に螺旋状掘削刃を有する螺旋式アンカ等が知られている。
【０００３】
これらアンカのうち、抵抗板を有する抵抗板式アンカは、抵抗板が打込機械により地中に打込まれた後、支線棒及び支線を介して電柱等の構造物に接続されて構造物を支持するようにしている。
【０００４】
また、先端側に螺旋状掘削刃を有する螺旋式アンカは、電柱を立設するときに用いられる建柱車のオーガ等からなる回転機械により回転させながら地中に打込まれた後、支線棒及び支線を介して電柱等の構造物に接続されて構造物を支持するようにしている。
【０００５】
【発明が解決しようとする課題】
しかしながら、上記従来のアンカの打込みは、アンカの形式を問わず、一度打込みが終了すると、そのアンカの支持力を確認することなく構造物を支持するようにしているので、時間の経過と共に支持力が弱まり、支線が緩んでしまい、構造物の支持力が失われるおそれがあった。
【０００６】
すなわち、アンカの打込まれる地盤の性質、すなわち土質は、千差万別で、表面が硬いがその中は軟らかかったり、あるいは、砂質状や礫状であったりして一様でなく、したがって、同一状態に打込まれたアンカの支持力も土質によって同一とならず、上述のような支持力不足を招くおそれがあった。
【０００７】
そこで、本発明は、上述の欠点を解決するためになされたものであって、その目的は、アンカの支持力を所定値以上に確実に保つことのできるアンカ埋設方法を提供することにある。
【０００８】
【課題を解決するための手段】
本発明に係るアンカ埋設方法は、上記目的を達成するために、
（１）地中アンカの所定の埋設場所にドリルで下穴をあける工程。
（２）前記下穴をあける工程において、その下穴が所定の速さを越えて、又は所定の力以下であけられたときに、抵抗板式地中アンカを埋設する抵抗板式地中アンカ埋設工程。
（３）前記下穴をあける工程において、その下穴が所定の速さ以下、又は所定の力を越えてあけられたときに、先端側に所定の基準となる直径を有する螺旋状掘削刃を備えた第１の螺旋式地中アンカを埋設する第１の螺旋式地中アンカ埋設工程。
（４）前記第１の螺旋式地中アンカが所定の力で所定の位置に埋設されたときに、その地中アンカに対して所定の引抜力を与える第１の引抜工程。
（５）前記第１の引抜工程において、前記第１の螺旋式地中アンカが引抜かれないときに、その第１の螺旋式地中アンカを地中アンカとする工程。
（６）前記第１の引抜工程において、前記第１の螺旋式地中アンカが引抜かれたときに、その第１の螺旋式地中アンカの螺旋状掘削刃よりも大径の螺旋状掘削刃を備えた第２の螺旋式地中アンカを埋設する第２の螺旋式地中アンカ埋設工程。
（７）前記第１の螺旋式地中アンカが所定の力で埋設されたときに、所定の位置に達することができないとき、その第１の螺旋式地中アンカに代えて、その第１の螺旋式地中アンカの螺旋状掘削刃よりも小径の螺旋状掘削刃を備えた第３の螺旋式地中アンカを埋設する第３の螺旋式地中アンカ埋設工程。
を有することを特徴としている。
【０００９】
【発明の実施の形態】
以下、本発明の実施の形態を図面に基づいて説明する。図１は、一実施の形態に係るアンカ埋設方法を実施するときのフローシートである。以下、このフローシートを基に工程順に説明する。
【００１０】
（ａ）下穴あけ工程
図１（ａ）に示されるドリル１により、後述する抵抗板式アンカ又は螺旋式アンカの所定の埋設場所に下穴があけられる。このドリル１は、後述する螺旋式アンカの先端部（埋設される側の端部）に設けられているドリルと同じ形状を呈し、その螺旋式アンカのうち、最も軸部の長さの長い螺旋式アンカ（図１では、図１（ｅ）のアンカ）とほぼ同じ長さを有している。
【００１１】
このドリル１の埋設される側と反対側の頂部には、建柱車のオーガ等の回転機械（図示せず）に取付けるためのつば２ａ及び孔２ｂを有する取付部２が設けられている。
【００１２】
このドリル１を用いて下穴をあけるには、回転機械にドリル１を取付けてあけられる。そして、このドリル１による下穴あけでその下穴が所定の速さを越えて、又は所定の力以下で開けられたとき、つまり、地盤が軟弱なときは、地中アンカとして抵抗板式アンカが選択される（図１の▲１▼参照）。このアンカとして抵抗板式が選択されるＮ値（６２２．３Ｎ（６３．５ｋｇｆ）の重りを７５ｃｍの高さから落下させて１ｍ打込める回数）は、経験的に８未満である。
【００１３】
（ｂ）抵抗板式アンカ埋設工程
上述のドリル１の下穴あけにおいて、軟弱地盤と判定されたときは、支持力を抵抗板の面積で発生される抵抗板式アンカが埋設される。
【００１４】
図１（ｂ）は、抵抗板式アンカ１０を示しており、抵抗板１１、安定板１２及び案内板１３から構成されている。そして、案内板１３の先端に支持棒１４が取付けられ、その支持棒１４に図示しない支線が取付けられて構造物が支持されるように構成されている。
【００１５】
この図１（ｂ）に示される抵抗板式アンカ１０は、周知の抵抗板式アンカと同一であるので、これ以上の構造上の説明は省略するが、案内板１３と安定板１２及び抵抗板１１とが一直線上になって地中に打込まれ、案内板１３を引抜く方向に力が加えられると、抵抗板１１で土圧を発生させて支持力を得ることができるように構成されている。
【００１６】
抵抗板式アンカ１０の埋設（打込）後、支持棒１４に所定の引抜力、例えば、４９０００Ｎ（５ｔｏｎ）の引抜力が加えられる。この引抜力で抵抗板式アンカ１０が引抜かれないときは、より面積の広い抵抗板１１を備えた抵抗板式アンカが打込まれる。そして、上述の引抜力（５ｔｏｎ）で引抜かれないときは、その抵抗板式アンカで構造物が支持され、それでも引抜かれたときは、さらに面積の広い抵抗板を有する抵抗板式アンカが打込まれる。
【００１７】
（ｃ）螺旋式アンカの埋設
ドリル１の下穴あけにより地盤がある程度硬いと判定されたとき、すなわち、そのドリル１における下穴あけの速度が所定以下、又は所定の力を越えているときは、具体的な例で示せば、Ｎ値が８以上のようなときは、図１（ｃ）に示される第１の螺旋式アンカ２０が選択される。
【００１８】
この第１の螺旋式アンカ２０、後述する第２の螺旋式アンカ３０及び第３の螺旋式アンカ４０は、本出願人が特願２０００−８６８８６号等で提案している螺旋式アンカであって、軸部１００の先端部（地中に埋設される側の端部）に上記ドリル１の先端と同じ形状を呈したドリル部１０１を有するとともに、その頂部（ドリル部１０１と反対側）に上記ドリル１の頂部に設けられている取付部２と同じ取付部２が設けられている。そして、軸部１００には、ドリル部１０１から取付部２に行くにしたがって徐々に直径が大きくなり、かつ、所定の間隔を保って設けられた螺旋状掘削刃１０２が設けられている。
【００１９】
第１の螺旋式アンカ１０の最も大径の螺旋状掘削刃１０２の直径が１４０ｍｍとすると、第２の螺旋状掘削刃１０２の直径は２００ｍｍで、第３の螺旋状掘削刃１０２の直径は１００ｍｍのように、第１の螺旋式アンカ２０を中心にして  （基準にして）大小の関係となるように決められている。
【００２０】
さて、上述の関係を有する第１の螺旋式アンカ２０がドリル１であけられた下穴をガイドに回転機械により埋設（打込み）される。そして、その第１の螺旋式アンカ２０が予め決められている地中の所定位置まで埋設されたときは、回転機械の上昇力を利用して所定の引抜力（５ｔｏｎ）で引抜きのテストが行われる。この引抜きにより第１の螺旋式アンカ２０が引抜かれないときは、その第１の螺旋式アンカ２０により構造物が支持される。なお、上述の引抜きのテストは、取付部２に図示しない支線棒及び支線を介して構造物を支持している角度（例えば６０°）と同じ角度で行われる。
【００２１】
（ｄ）第２の螺旋式アンカの埋設工程
上述の所定の力（５ｔｏｎ）で第１の螺旋式アンカ２０が引抜かれたときは、第１の螺旋式アンカ２０の螺旋状掘削刃１０２の直径よりも大径の螺旋状掘削刃１０２を有する第２の螺旋式アンカ３０が選択されて、回転機械を用いて埋設される。そして、回転機械の上昇力を利用して所定の引抜力（５ｔｏｎ）で引抜きのテストが行われる。この引抜きにより第２の螺旋式アンカ３０が引抜かれないときは、その第２の螺旋式アンカ３０により構造物が支持される。
【００２２】
上述の所定の力（５ｔｏｎ）で第２の螺旋式アンカ３０が引抜かれたときは、その第２の螺旋式アンカ３０の螺旋状掘削刃１０２の直径よりも大径の螺旋状掘削刃１０２を有する他の螺旋式アンカが選択されて、回転機械を用いて埋設され、また、同様に引抜きのテストが行われる。
【００２３】
（ｅ）第３の螺旋式アンカの埋設工程
第１の螺旋式アンカ２０が予め決められている所定の回転力によって、予め決められている地中の所定位置まで埋設されないときは、例えば、Ｎ値が５０以上のような硬質の地盤の場合で、第１の螺旋式アンカ２０が途中で止まってしまった場合は、回転機械の回転方向をそれまでと逆方向として第１の螺旋式アンカ２０が地面から取出される。そして、その取出された後に、第１の螺旋式アンカ２０の螺旋状掘削刃１０２の直径よりも小径の螺旋状掘削刃１０２を備えた第３の螺旋式アンカ４０が選択されて回転機械により埋設される。
【００２４】
第３の螺旋式アンカ４０が埋設された後も、上述と同様に所定の引抜力（５ｔｏｎ）で引抜きのテストが行われるが、本発明者の経験によれば、この引抜きのテストで第３の螺旋式アンカ４０が引抜かれることはないが、もし、引抜かれた場合は、その第３の螺旋式アンカ４０の螺旋状掘削刃１０２の直径よりも少し大きい螺旋状掘削刃の螺旋式アンカが選択されて埋設される。
【００２５】
第３の螺旋式アンカ４０に対する所定の力（５ｔｏｎ）の引抜力のテスト終了後、その第３の螺旋式アンカ４０を用いて構造物の支持が行われる。
【００２６】
【発明の効果】
本発明に係る地中アンカ埋設方法によれば、埋設されたアンカに対して所定の力の引抜力でテストが行われるので、埋設されたアンカは、所定の支持力を確実に得ることができる。
【図面の簡単な説明】
【図１】本発明の一実施の形態に係る地中アンカ埋設方法の工程を示すフローチャートである。
【符号の説明】
１  ドリル
２  取付部
１０  抵抗板式アンカ
２０  第１の螺旋式アンカ
３０  第２の螺旋式アンカ
４０  第３の螺旋式アンカ
【図１】
0004346212.tif 000002